(57)【特許請求の範囲】
【請求項１】
床下配線を取り出すための配線挿通口を有してなる床材の上に載置して使用される配線案内用ポールであって、内部に空洞を有するポール本体と、このポール本体の底部に設けられ前記空洞を床材の配線挿通口に連通させる下部導出入部と、前記ポール本体の上部に設けられ前記空洞を外部に連通させるための上部導出入部と、前記ポール本体の側面にそれぞれ設けられ前記空洞を相互に異なった方角に開放するための複数の扉付開口部とを具備してなり、前記ポール本体が、ベースと、このベースから立設した複数の柱と、これら柱の上端部に支持された頂版とを具備する平面視正方形をなす四角柱状のものであり、３辺に対応する各起立平面部に、前記扉付開口部を設けるとともに、残りの１辺に対応する起立平面部に固定壁を設け、前記扉付開口部が、前記柱と柱との間に形成してあることを特徴とする配線案内用ポール。
【請求項２】
各扉の上縁に、それぞれ横配線用の切欠窓を設けている請求項１記載の配線案内用ポール。
【請求項３】
ポール本体を、その下端部分に、下方に開放された筒状部と、この筒状部の内側に配設したアジャスタとを備えたものにし、この筒状部を床材に固定した固定筒の外周に上下摺動可能に外嵌させ得るように構成するとともに、その嵌合深さを前記アジャスタにより調節し得るようにしている請求項１又は２記載の配線案内用ポール。
【請求項４】
ポール本体の略水平な上端面を、隣接配置される机の天板面と略面一に位置させ得るように構成している請求項１記載の配線案内用ポール。
【発明の詳細な説明】
【０００１】
【発明の属する技術分野】
本発明は、オフィス等で好適に使用される配線案内用ポールに関するものである。
【０００２】
【従来の技術】
近時のオフィス等においては、ＯＡ化の進展に伴って電力線や通信線等の配線類が著しく増加しており、床下に挿通させた配線類を床材に設けた配線挿通口を通過させて床上に導出させる部分において、配線類が煩雑にものになりがちである。特に、レイアウト変更が頻繁に行われるオフィスにおいては、配線ダクト等を内蔵していない移動式の机あるいはテーブル式の机等も使用されており、かかる机上にパソコン等を配置した場合には、その机の天板上と床面との間において配線類が見苦しく露出することが少なくない。
【０００３】
このような不具合を緩和するために、配線案内用ポールを立設しておき、床下から導出させた配線類をこの配線案内ポール内を通過させて机の天板上等に導くようにしたものも開発されている。しかして、従来の配線案内用ポールは、例えば、内部に空洞を有するポール本体の下端部に下部導出入部を形成するとともに上端部に上部導出入部を設け、床下配線を下部導出入部から空洞内に導くとともに、この空洞内の配線類を、上部導出入部に設けた開口部を通して机の天板上に導いたり、上部導出入部に設けたコンセントを介して外部に導出させ得るようになっている。
【０００４】
【発明が解決しようとする課題】
ところが、従来の配線案内用ポールは、上端部と下端部に配線の導出入部を有するだけであるため、配線の変更や点検などに際しては、ポール本体の上端部を取り外したり、ポール本体全体を床から離脱させて作業し易い姿勢に配向させる必要があり、作業に多大な工数を要するという問題がある。
【０００５】
【課題を解決するための手段】
前記の問題点を解決するために、本発明は、内部に空洞を有するポール本体の底部に前記空洞を床材の配線挿通口に連通させる下部導出入部を設けるとともに前記ポール本体の上部に前記空洞を外部に連通させるための上部導出入部を設けるだけでなく、前記ポール本体の側面に前記空洞を相互に異なった方角に開放するための複数の扉付開口部をそれぞれ設けたものである。
【０００６】
【発明の実施の形態】
本発明に係る配線案内用ポールは、床下配線を取り出すための配線挿通口を有してなる床材の上に載置して使用されるものであって、内部に空洞を有するポール本体と、このポール本体の底部に設けられ前記空洞を床材の配線挿通口に連通させる下部導出入部と、前記ポール本体の上部に設けられ前記空洞を外部に連通させるための上部導出入部と、前記ポール本体の側面にそれぞれ設けられ前記空洞を相互に異なった方角に開放するための複数の扉付開口部とを具備してなり、前記ポール本体が、ベースと、このベースから立設した複数の柱と、これら柱の上端部に支持された頂版とを具備する平面視正方形をなす四角柱状のものであり、３辺に対応する各起立平面部に、前記扉付開口部を設けるとともに、残りの１辺に対応する起立平面部に固定壁を設け、前記扉付開口部が、前記柱と柱との間に形成してあることを特徴とする。
【０００７】
このような構成によれば、床下配線を前記空洞を通過させて机の天板面などに相当する所要の高さ位置に導くことができるため、配線類の氾濫を防止することができるだけでなく、扉を開くことによって前記空洞を側方に開放することができるため、配線作業や配線変更作業等を円滑に行うことが可能となる。しかも、前記扉付開口部は、異なった方角に向けて複数設けてあるため、他の家具を当接させて配置している場合でも、家具を移動させることなく空洞内へアクセスすることができる可能性が高くなる。そのため、配線変更作業や点検作業をより容易に行うことができる。
【０００８】
横配線用家具等と組み合わせて使用する場合には、各扉の上縁に、それぞれ横配線用の切欠窓を設けておくのが好ましい。他の家具に当接させて使用する場合には、ポール本体が、平面視多角形状をなす角柱状のものであり、各辺に対応する起立平面部のいずれかに、扉付開口部を設けておくのがよい。この場合の特に実用的な形態としては、ポール本体が、平面視正方形をなす四角柱状のものであり、３辺に対応する各起立平面部に設けた扉付開口部と、残りの１辺に対応する起立平面部に設けた固定壁とを具備しているものを挙げることができる。
【０００９】
床材の配線挿通口から導出されポール本体の空洞に導かれる配線類が露出するのを完全に防止したい場合には、ポール本体を、その下端部分に、下方に開放された筒状部と、この筒状部の内側に配設したアジャスタとを備えたものにし、この筒状部を床材に固定した固定筒の外周に上下摺動可能に外嵌させ得るように構成するとともに、その嵌合深さを前記アジャスタにより調節し得るようにしておくのがよい。
【００１０】
上部導出入部をポール本体の略水平な上端面に設ける場合には、その上端面を、隣接配置される机の天板面と略面一に位置させ得るように構成しておくのがよい。
【００１１】
【実施例】
以下、本発明の一実施例を、図面を参照して説明する。
本実施例における配線案内用ポール１は、図１に示すように、下面側に床下配線空間Ｓを形成してなるフロアＦ上に載置し、机Ａ等に隣接して使用するものである。
【００１２】
このフロアＦについて、簡単に説明すると、フロアＦは、図１及び図２に示すように、床下配線Ｌを取り出すための配線挿通口２を有してなる床材３を複数枚配列して構成されているものである。前記床材３は、支持脚５に支持されて該建築床面４から所定距離浮上した位置に配設されるもので、床材３の下面と建築床面４との間に形成される床下配線空間Ｓに電力線や通信線、付属品などの各種の配線類Ｃを床下配線Ｌとして挿通させることができるように構成されている。
【００１３】
配線挿通口２は、図２に示すように、床材３のうちの特定の床材３Ａの少なくとも一側縁３ａを略矩形状に切り欠いた形状をなすもので、床材３の側縁同士を付き合わせた状態で、その配線挿通口２を介して床下配線空間ＳをフロアＦ上に開口させ、該空間Ｓ内の床下配線ＬをフロアＦ上に導出し得るように構成している。この配線挿通口２には、通常は着脱可能に蓋部材２１が設けてあり、必要に応じてこの蓋部材２１を取り外すことによって配線挿通口２を開口させ得るようにしている。
【００１４】
そして、このフロアＦは、図３に示すように、床材３の配列ピッチＰの複数倍の配列ピッチＰＰを有する仮想グリッドＧに対応させて、少なくとも仮想グリッドＧの各交点ｇ１と各中心点ｇ２に配線挿通口２が位置するように、前記配線挿通口２を有する特定の床材３Ａをそれら交点ｇ１及び中心点ｇ２を含む近傍位置に予め配設している。
【００１５】
このような構成のフロアＦにおいて、本実施例では、図１に示すように、配線案内用ポール１を、その下端を配線挿通口２上に合致させて配設している。
配線案内用ポール１は、図４〜図７に示すように、内部に空洞６を有するポール本体７と、このポール本体７の底部に設けられ前記空洞６を床材３Ａの配線挿通口２に連通させる下部導出入部８と、前記ポール本体７の上部に設けられ前記空洞６を外部に連通させるための上部導出入部９と、前記ポール本体７の側面にそれぞれ設けられ前記空洞６を相互に異なった方角に開放するための複数の扉付開口部１０とを具備してなる。
【００１６】
ポール本体７は、平面視正方形をなすベース１１と、このベース１１の四隅部から立設した第１、第２、第３、第４の柱１２、１３、１４、１５と、これら各柱１２、１３、１４、１５の上端部に支持された平面視正方形をなす頂版１６と、第１の柱１２と第２の柱１３間に設けた固定壁１７とを具備してなるもので、内部に空洞６を有している。前記ベース１１、前記各柱１２、１３、１４、１５、前記頂版１６、及び、固定壁１７は、それぞれ板金製のものであり、前記第１の柱１２と第２の柱１３と前記固定壁１７とは、一体に形成されている。頂版１６には、平面視矩形状の一対の開口が設けられており、この開口を前記空洞６を外部に連通させるための上部導出入部９としている。なお、図４に示す分解斜視図では、この上部導出入部９に、コンセントホルダ受け具４６を装着し、このコンセントホルダ受け具４６の一方に情報コンセントや電源コンセントを保持するコンセントホルダ４７を着脱可能かつ取付方位変更可能に装着している。そして、前記第２の柱１３と第３の柱１４との間、第３の柱１４と第４の柱１５との間、及び、第４の柱１５と第１の柱１２との間に、それぞれ扉付開口部１０を形成している。各扉付開口部１０に設けられた扉１９は、片開き式のもので、吊元の下端１９ａ及び上端１９ｂに突設した軸２０ａ、２０ｂを、前記ベース１１及び頂版１６に設けた保持穴２１に回動可能に支持させることによって、開閉し得るようになっている。なお、前記上端１９ｂに突設した軸２０ｂは、扉１９の取付けの便をはかるため上下に突没自在にバネなどで弾性付勢されている。各扉１９は、板金製のものであり、前記第２、第３、第４の柱１３、１４、１５にそれぞれ設けたマグネットキャッチ２２によって、閉止位置に保持されるようになっている。マグネットキャッチ２２は、筒状のマグネットキャッチ本体２３と、先端２４ａにマグネット２５を有し前記マグネットキャッチ本体２３内に突没可能に設けてなる突没部２４とを具備してなる。そして、扉１９を閉止する時には、突没部２４を扉１９で押圧してマグネットキャッチ本体２３内に没入させていくと、閉止位置にて突没部２４がロックされ、扉１９がマグネット２５に止着して閉止位置に保持される。一方、扉１９を開成させる時には、閉止位置にある扉１９を突没部２４を没入させる方向に再度押圧すると、突没部２４のロック状態が解除され自動的に突没部２４が飛び出し扉１９が開成する。
【００１７】
さらに、各扉１９の上縁中央部には、それぞれ横配線用の切欠窓２５を設けている。切欠窓２５は、板金製の扉１９の上縁を凹欠させて長方形状の切欠部２７を形成するとともに、その切欠部２７にＵ字形をなす合成樹脂製の枠材２８を設けたものであり、その枠材２８に、蓋板２９を上下方向に抜き取り可能に係合させて該切欠窓２５を閉止している。
【００１８】
ベース１１は、図４及び図７に示すように、下方に開放された筒状部３０と、この筒状部３０の内側に配設したアジャスタ３１とを具備してなり、この筒状部３０を床材３に固定した固定筒３２の外周に上下摺動可能に外嵌させ得るように構成するとともに、その嵌合深さを前記アジャスタ３１により調節し得るようにしている。
【００１９】
筒状部３０は、平面視正方形をなす頂版３３と、該頂版３３の４辺から垂下してなる側壁３４を有してなる。頂版３３は、中央部に平面視円形状の開口を有してなり、この開口を床材３下から引き出した床下配線Ｌを空洞６内に引き込む下部導出入部８としている。また、頂版３３の裏面の４隅に、アジャスタ３１の軸部３１ａと螺合するナット３５ａを有してなるチャンネル状のアジャスタ取付部材３５を設けるとともに、アジャスタ取付位置と対応する頂版３３の四隅に、円形状の開口孔３６を形成している。そして、この開口孔３６の上部から工具等を挿入して、アジャスタ３１の軸部３１ａをナット３５ａに対して上下方向に螺進退させてアジャスタ３１の高さ調節を行うようにしている。
【００２０】
固定筒３２は、平面視正方形をなす底版３７と、該底版３７の４辺から一体に起立してなる起立壁３８を有する上方に開放した筐状のものであり、前記底版３７の中央部に設けた開口円３９を床材３の配線挿通口２と合致させて床材３上に止着具等により固定されている。
そして、図７及び図８に矢印で示すように、配線挿通口２まで導いた床下配線Ｌの一部の配線類Ｃを固定筒３２の開口円３９及びベース１１の下部導出入部８を介して空洞６に導き、必要に応じて上部導出入部９から上方に引き出したり、切欠窓２５を介して側方に導出し得るようにしている。
【００２１】
このような構成のものにおいて、例えば、配線案内用ポール１を机Ａに隣接させて使用する際には、図１に示すように、頂版１６の上面を、隣接配置される机Ａの天板面Ａ１と略面一になるように配置する。そして、床下配線空間Ｓから引き出した配線類Ｃをポール本体７内の空洞６を通過させて机Ａの天板面Ａ１に導き、天板面Ａ１上に載置したパソコンＰ等に接続する。このようにすれば、フロアＦ上に導出した配線類Ｃを目隠し状態のままで机Ａの天板面Ａ１上に好適に導くことができ、机Ａ回りに配線類Ｃが氾濫することを防止することができる。しかも、フロアＦ上に導出させた配線類Ｃは、配線案内用ポール１内に一旦引き込まれ、その内部に集合するため、配線類Ｃが机Ａの脚等に絡まって断線の原因となること等も有効に防止することができる。その上、三方に扉１９が設けられているため、この扉１９を開くことによって前記空洞６を側方に開放することができ、配線作業や配線変更作業等を円滑に行うことが可能となる。
【００２２】
また、この配線案内用ポール１は、図９及び図１０に示すように、横配線用家具４０に隣接させて用いることもできる。
この横配線用家具４０は、下方に開口した中空部４１を有する脚体４２と、該脚体４２に支持された本体４３とを備えてなり、本体４３内に前記中空部４１に連通する配線ダクトＤを設けるとともに、本体４３上に前記配線ダクトＤ上の配線類Ｃを外部に導出させるための開口部４４を設けるとともに、長手方向両端部に、配線ダクトＤを外部に連通させるための横配線用連通窓４５を備えているものである。
【００２３】
この場合には、横配線用家具４０と配線案内用ポール１の隣接する横配線用連通窓４５及び切欠窓２５を開放しておき、ポール本体７の空洞６内を通過させて引き出した配線類Ｃを切欠窓２５及び横配線用連通窓４５より、配線ダクトＤ内に案内するといった態様が可能となり、フロアＦ上に導出した配線類Ｃを目隠し状態のままで机Ａ等の所用箇所に好適に導くことができるだけでなく、横配線用家具４０や配線案内用ポール１の配置の仕方次第で配線類Ｃの自在な引き回しも可能になる。さらに、扉１９を、異なった方角に向けて三方に設けてあるため、例えば、図１１及び図１２に示すように、横配線用家具４０をポール１の側方に家具４０同士が一直線状や直交するように、あるいは三方に配置される（図示せず）ように隣接させてもいずれかの扉付開口部１０が開放されることとなり、家具４０やポール１自体を移動させることなく空洞６内へアクセスすることができ、家具４０を移動することなく、配線変更作業や点検作業を容易に行うことができる。
【００２４】
なお、本発明の構成は、上記実施例に限定されるものではなく、本発明の趣旨を逸脱しない範囲で種々変形が可能である。
【００２５】
【発明の効果】
以上詳述したように、本発明は、ポール本体内の空洞を床材の配線挿通口に連通させる下部導出入部と、前記空洞を外部に連通させるための上部導出入部を設け、さらにポール本体の側面に前記空洞を相互に異なった方角に開放するための複数の扉付開口部を設けているので、床下配線を前記空洞を通過させて机の天板面などに相当する所要の高さ位置に外部から隠蔽した状態で導くことができ、オフィス内における配線類の氾濫を防止することができる。その上、扉を開くことによって前記空洞を側方に開放することができ、配線作業や配線変更作業等を円滑に行うことが可能となる。しかも、前記扉付開口部は、異なった方角に向けて複数設けてあるため、他の家具を当接させて配置している場合でも、家具を移動させることなく空洞内へアクセスすることができる可能性が高くなり、配線変更作業や点検作業をより容易に行うことが可能である。
【００２６】
さらに、ポール本体が、平面視正方形をなす四角柱状のものであり、３辺に対応する各起立平面部に設けた扉付開口部と、残りの１辺に対応する起立平面部に設けた固定壁とを具備しているので、二方、三方、四方に家具を隣接配置して配線の引き回しを行うといった集約的なレイアウトにも対応可能となるだけでなく、空洞内の配線類を操作したり、ポール内の点検を行う場合には、家具が隣接しておらず開放された状態にある扉を選択して開放させることができるため、家具を移動させることなく、配線変更作業や点検作業をより容易に行うことができる。
【００２７】
各扉の上縁に、それぞれ横配線用の切欠窓を設けておくならば、横配線用家具等と組み合わせて使用する場合に特に有効であり、空洞内の配線を外部から隠蔽した状態で引き回し、机等の所要箇所に好適に導くことができる。
【００２８】
ポール本体を、その下端部分に、下方に開放された筒状部と、この筒状部の内側に配設したアジャスタとを備えたものにし、この筒状部を床材に固定した固定筒の外周に上下摺動可能に外嵌させ得るように構成するとともに、その嵌合深さを前記アジャスタにより調節し得るようにしておくならば、床材の配線挿通口から導出されポール本体の空洞に導かれる配線類が露出するのを完全に防止することができる。
【００２９】
ポール本体の略水平な上端面を、隣接配置される机の天板面と略面一に位置させ得るように構成しておくならば、配線類を天板上に引き回す便が良好になる上に、外観も良好なものとすることができる。
【図面の簡単な説明】
【図１】本発明の一実施例を示す斜視図。
【図２】図１の要部拡大図。
【図３】同実施例における床材の配列ピッチとグリッドのピッチとの関係を示す図。
【図４】同実施例の配線案内用ポールの一部を分解した状態を示す斜視図。
【図５】同平面図。
【図６】同模式的な平断面図。
【図７】同図６に対応する模式的なＩ−Ｉ線端面図。
【図８】同正面図。
【図９】同配線案内用ポールを横配線用家具と組み合わせた状態を示す斜視図。
【図１０】同正面図。
【図１１】同平面図。
【図１２】同平面図。
【符号の説明】
１…配線案内用ポール
２…配線挿通口
３、３Ａ…床材
６…空洞
７…ポール本体
８…下部導出入部
９…上部導出入部
１０…扉付開口部
２５…切欠窓
３０…筒状部
３１…アジャスタ
３２…固定筒
Ａ…机
Ａ１…天板面
Ｌ…床下配線
【図１】
0003573254.tif 000002
【図２】
0003573254.tif 000003
【図３】
0003573254.tif 000004
【図４】
0003573254.tif 000005
【図５】
0003573254.tif 000006
【図６】
0003573254.tif 000007
【図７】
0003573254.tif 000008
【図８】
0003573254.tif 000009
【図９】
0003573254.tif 000010
【図１０】
0003573254.tif 000011
【図１１】
0003573254.tif 000012
【図１２】
0003573254.tif 000013